(57)【要約】      （修正有）【課題】スケールの表面には計測目盛のみを記載し、このスケールの裏面には電気工事に必要な関連情報を整理して記載することにより、これらの情報を非常に見易くした電気工事用メジャーを提供する。【解決手段】ケース本体と、ケース本体の内部に収納され、ケース本体の内部から外部に引き出し可能であると共にケース本体の外部から内部に巻き取り可能な帯状板からなるスケール２とを備え、スケール２の表面には計測目盛が表示されており、裏面には電気工事に必要な関連情報が記載された表題欄６ａと情報欄６ｂが表示されている。【選択図】図２
0003219206.tif 000002
【実用新案登録請求の範囲】
【請求項１】
ケース本体（１）と、ケース本体（１）の内部に収納され、ケース本体（１）の内部から外部に引き出し可能であると共にケース本体（１）の外部から内部に巻き取り可能な帯状板からなるスケール（２）とを備え、前記スケール（２）の表面には計測目盛（５）が表示されており、裏面には電気工事に必要な関連情報が記載された表題欄（６ａ）と情報欄（６ｂ）が表示されていることを特徴とする電気工事用メジャー。
【請求項２】
前記スケール（２）の幅（Ｗ）は、３０〜４０ｍｍの幅広に形成されていることを特徴とする請求項１記載の電気工事用メジャー。
【請求項３】
前記表題欄（６ａ）と情報欄（６ｂ）は、表題欄（６ａ）、情報欄（６ｂ）の順でスケール（２）の引き出し端（Ｅ）から繰り返して表示されていることを特徴とする請求項１または２に記載の電気工事用メジャー。
【請求項４】
前記表題欄（６ａ）は一段とし、前記情報欄（６ｂ）は複数段としていることを特徴とする請求項３に記載の電気工事用メジャー。
【請求項５】
前記表題欄（６ａ）および前記情報欄（６ｂ）は一段としていることを特徴とする請求項３に記載の電気工事用メジャー。
【請求項６】
前記表題欄（６ａ）には単位の名称を記載したものとし、前記情報欄（６ｂ）の最上欄には複数の単位の記号を記載し、最上欄以外にはこれらの単位の換算値を記載したものとしていることを特徴とする請求項４に記載の電気工事用メジャー。
【請求項７】
前記表題欄（６ａ）には電線または電線管の種類を記載したものとし、前記情報欄（６ｂ）の最上欄には電線または電線管の複数の技術情報を記載したものとし、最上欄以外にはこれらの技術情報の数値データを記載したものとしていることを特徴とする請求項４に記載の電気工事用メジャー。
【請求項８】
前記表題欄（６ａ）には電気工事士、電気主任技術者、電気工事施工管理技士等の試験問題を記載したものとし、前記情報欄（６ｂ）には前記試験問題の解答または解答の選択肢を記載したものとしていることを特徴とする請求項５に記載の電気工事用メジャー。
【考案の詳細な説明】
【技術分野】
【０００１】
この考案は、寸法測定と共に、電気工事に必要な関連情報を得ることのできる電気工事用メジャーに関するものである。
【背景技術】
【０００２】
従来、この種の電気工事用メジャーとして、ケ−ス本体に可撓性の帯状板からなるスケールをコイル状に巻き込んで、このスケールを直線状に引き出し、長さを計測するようにしたものが存在する。このメジャーは、計測目盛を施したスケールの裏面に、電気工事の標準作業に必要な事項を記載している（特許文献１）。
【０００３】
このように構成した電気工事用メジャーは、前記スケールの表面には従来と同様に長さを計測する目盛を設けているので、これによって長さを計測することができ、前記スケールの裏面には電気工事の標準作業に必要な事項が記載してあるので、これにより直接ケーブルの寸法取り作業ができ、電気工事を容易、確実になし得るという効果があるとしている。
【０００４】
さらに、前記電気工事用メジャー以外にも、配管工事用メジャーが存在する。この配管工事用メジャーは、ケース本体に計測目盛を有する帯状板からなるスケールをコイル状に巻込み、これを直線状に引出し、長さを測るようにしている。このメジヤーは、前記スケールの長手方向の前段部分に配管工事に用いる配管等の規格寸法を当該寸法に対応させて記号表示すると共に、前記スケールの長手方向の後段部分に配管工事に必要な情報を記載している（特許文献２）。
【０００５】
このように構成した配管工事用メジャーは、スケールの長手方向の前段部分に配管工事に用いる配管等の規格寸法をこの寸法に対応させて記号表示しているため、サイズ不明の配管等のサイズが一目瞭然で判明すると共に、密設状態の配管ライン間のわずかなスペースにどのくらいのサイズの配管等を通せるかが一目で判明するとしている。さらに、この配管工事用メジャーは、スケールの長手方向の後段部分に配管工事に必要な情報を記載したので、高い位置における配管工事においても、配管ハンドブックにたよることなくメジャー１個で作業できるため、作業安全性か図れると共に作業の能率化が図れるとしている。
【先行技術文献】
【特許文献】
【０００６】
【特許文献１】実開昭５６−２１７０２号公報
【特許文献２】実開昭６１−１４９８０２号公報
【考案の概要】
【考案が解決しようとする課題】
【０００７】
しかしながら、上記従来の特許文献１に開示された電気工事用メジャーでは、スケールの裏面に、ただ単に電気工事の標準作業に必要な事項が記載しているだけなので、これらの事項が整理されておらず、しかもスケールの裏面の狭い個所に記載されているので、前記電気工事の標準作業に必要な事項が非常に見難いという課題を有していた。
【０００８】
さらに、上記従来の特許文献２に開示された配管工事用メジャーでは、計測目盛を有するスケールの表面に、配管工事に用いる配管等の規格寸法や配管工事に必要な情報を、前記計測目盛と併記しているので、前記規格寸法や情報が非常に見難いという課題を有していた。
【０００９】
そこで、この考案は、上記従来の課題を解決するものであり、帯状板からなるスケールの表面には計測目盛のみを記載し、このスケールの裏面には電気工事に必要な関連情報を整理して記載することにより、これらの情報を非常に見易くした電気工事用メジャーを提供することを目的としてなされたものである。
【課題を解決するための手段】
【００１０】
そのため、この考案の電気工事用メジャーは、ケース本体１と、ケース本体１の内部に収納され、ケース本体１の内部から外部に引き出し可能であると共にケース本体１の外部から内部に巻き取り可能な帯状板からなるスケール２とを備え、前記スケール２の表面には計測目盛５が表示されており、裏面には電気工事に必要な関連情報が記載された表題欄６ａと情報欄６ｂが表示されている。
【００１１】
この考案の電気工事用メジャーにおいて、前記スケール２の幅Ｗは、３０〜４０ｍｍの幅広に形成されている。
【００１２】
この考案の電気工事用メジャーにおいて、前記表題欄６ａと情報欄６ｂは、表題欄６ａ、情報欄６ｂの順でスケール２の引き出し端Ｅから繰り返して表示されている。
【００１３】
この考案の電気工事用メジャーにおいて、前記表題欄６ａは一段とし、前記情報欄６ｂは複数段としている。
【００１４】
この考案の電気工事用メジャーにおいて、前記表題欄６ａおよび前記情報欄６ｂは一段としている。
【００１５】
この考案の電気工事用メジャーにおいて、前記表題欄６ａには単位の名称を記載したものとし、前記情報欄６ｂの最上欄には複数の単位の記号を記載し、最上欄以外にはこれらの単位の換算値を記載したものとしている。
【００１６】
この考案の電気工事用メジャーにおいて、前記表題欄６ａには電線または電線管の種類を記載したものとし、前記情報欄６ｂの最上欄には電線または電線管の複数の技術情報を記載したものとし、最上欄以外にはこれらの技術情報の数値データを記載したものとしている。
【００１７】
この考案の電気工事用メジャーにおいて、前記表題欄６ａには電気工事士、電気主任技術者、電気工事施工管理技士等の試験問題を記載したものとし、前記情報欄６ｂには前記試験問題の解答または解答の選択肢を記載したものとしている。
【考案の効果】
【００１８】
この考案の電気工事用メジャーは、以上に述べたように構成されているので、スケールの裏面に記載された電気工事に必要な関連情報が非常に見易いものとなる。
【００１９】
さらに、この考案の電気工事用メジャーは、電気工事の合間に、電気工事士、電気主任技術者、電気工事施工管理技士等の試験の学習に必要な資料を別に用意しないでも、これらの試験の学習を効率良く行なえるものとなる。
【図面の簡単な説明】
【００２０】
【図１】この考案に係る電気工事用メジャーの実施形態を示す斜視図である。
【図２】この考案に係る電気工事用メジャーのスケールの裏面の一例を示す部分平面図である。
【図３】この考案に係る電気工事用メジャーのスケールの裏面の他の例を示す部分平面図である。
【図４】この考案に係る電気工事用メジャーのスケールの裏面のさらに他の例を示す部分平面図である。
【考案を実施するための形態】
【００２１】
以下、この考案の電気工事用メジャーを実施するための形態を、図面に基づいて詳細に説明する。
【００２２】
この考案の電気工事用メジャーは、図１に示したように、ケース本体１と、ケース本体１の内部に収納され、ケース本体１の内部から外部に引き出し可能であると共にケース本体１の外部から内部に巻き取り可能な帯状板からなるスケール２とを備えている。
【００２３】
ケース本体１は、合成樹脂等によって二つ割れに形成されたものとしており、スケール２を巻き取るための巻取り手段（図示せず）が内蔵されている。さらに、ケース本体１には引出口３が設けられ、この引出口３からスケール２が引き出され、引き出されたスケール２がこの引出口３に引き込まれる。このケース本体１の引出口３から引き出されたスケール２は、ケース本体１に突設されたストッパー４によって、その引き出された位置で止めておくことができるようにしている。
【００２４】
スケール２は、ケース本体１の内部に巻装状態で収納されており、鋼、合成樹脂、ガラス繊維等からなるものとしており、ケース本体１から引き出した際に直線性を維持できる強度を有し、ケース本体１の内部に巻装する際に可撓性を有するものとするのが好ましい。さらに、前記スケール２は、図１に示したように、幅方向に湾曲させたものとし、引き出した際にその湾曲形状によって、より直線性を維持し得るようにするのがこの好ましい。そして、前記スケール２の幅Ｗは、３０〜４０ｍｍ程度の幅広に形成されており、表面には幅方向の一端または両端に計測目盛５が表示されており、裏面には幅方向に余白Ｓを残して、電気工事に必要な関連情報が記載された表題欄６ａと情報欄６ｂが表示されている。
【００２５】
前記表題欄６ａと情報欄６ｂは、表題欄６ａ、情報欄６ｂの順でスケール２の引き出し端Ｅから繰り返して表示されている。表題欄６ａは一段とし、情報欄６ｂは複数段または一段としている。例えば図２に示したように、前記表題欄６ａは一段とし、この表題欄６ａには単位の名称を記載したものとし、前記情報欄６ｂは四段とし、この情報欄６ｂの最上欄には複数の単位の記号を記載し、最上欄以外にはこれらの単位の換算値を記載したものとしている。
【００２６】
さらに、図３に示したように、前記表題欄６ａは一段とし、この表題欄６ａには電線または電線管の種類を記載したものとし、前記情報欄６ｂは四段とし、この情報欄６ｂの最上欄には電線または電線管の複数の技術情報を記載したものとし、最上欄以外にはこれらの技術情報の数値データを記載したものとしている。
【００２７】
また、図４に示したように、前記表題欄６ａは一段とし、この表題欄６ａには電気工事士、電気主任技術者、電気工事施工管理技士等の試験問題を記載したものとし、前記情報欄６ｂも一段とし、この情報欄６ｂには前記試験問題の解答または解答の選択肢を記載したものとしている。
【００２８】
以上のように構成されたこの考案の電気工事用メジャーは、図２、３に示したものでは、例えばスケール２の幅Ｗを３０ｍｍとした場合には、幅方向の余白Ｓを各２ｍｍとすれば、前記表題欄６ａの幅Ｗa は２６ｍｍとなり、前記情報欄６ｂの各欄の幅Ｗb はそれぞれ６．５ｍｍとなり、この情報欄６ｂには大きさが最大１８ｐｔの文字や数字が記載できるものとなる。また、スケール２の幅Ｗを４０ｍｍとした場合には、幅方向の余白Ｓを各２ｍｍとすれば、前記表題欄６ａの幅Ｗa は３６ｍｍとなり、前記情報欄６ｂの各欄の幅Ｗb はそれぞれ９ｍｍとなり、この情報欄６ｂには大きさが最大２４ｐｔの文字や数字が記載できるものとなる。なお、前記表題欄６ａには、前記情報欄６ｂと同じ大きさの文字や数字を記載したり、この情報欄６ｂより大きい文字や数字を記載できることは言うまでもない。
【００２９】
したがって、この考案の電気工事用メジャーは、帯状板からなるスケール２の裏面に記載された文字や数字が大きいものにでき、しかもそれらの文字や数字が欄の中に記載されているので、それらの文字や数字で記載された電気工事に必要な関連情報が非常に見易いものとなる。
【００３０】
さらに、この考案の電気工事用メジャーは、図４（ａ）に示したものでは、例えばスケール２の幅Ｗを３０ｍｍとしており、幅方向の余白Ｓを各２ｍｍとすれば、前記表題欄６ａおよび情報欄６ｂはそれぞれ２６ｍｍとなり、大きさが８ｐｔの文字や数字（実際の電気工事士の試験問題の解答の選択肢の文字や数字の大きさ）であれば、長さＬｂが１００ｍｍ（実際の電気工事士の試験問題の解答の選択肢欄の長さ）の情報欄６ｂに約１５０字記載できるものとなる。また、図４（ｂ）に示したものでは、例えばスケール２の幅Ｗを４０ｍｍとしており、幅方向の余白Ｓを各２ｍｍとすれば、前記表題欄６ａおよび情報欄６ｂはそれぞれ３６ｍｍとなり、大きさが８ｐｔの文字や数字（実際の電気工事士の試験問題の文字や数字の大きさ）であれば、長さＬａが６０ｍｍ（実際の電気工事士の試験問題欄の長さ）の表題欄６ａに約１２０字記載できるものとなる。なお、実際の電気工事士の試験問題および解答の選択肢の文字や数字は、前記記載できる文字数を超える場合があるが、この場合は前記表題欄６ａの長さＬａおよび情報欄６ｂの長さＬｂを実際の電気工事士の試験問題欄および解答の選択肢欄よりも長いものにすればよい。
【００３１】
したがって、この考案の電気工事用メジャーは、そのメジャーの使用者が電気工事の合間にスケール２の先端を手で摘まんで、このスケール２をケース本体１から徐々に引き出していくと、表題欄６ａに記載された問題が先に現れ、その後に情報欄６ｂに記載された解答や解答の選択肢が現れ出てくるので、効率良く学習をすることができる。
【符号の説明】
【００３２】
１  ケース本体
２  スケール
５  計測目盛
６ａ  表題欄
６ｂ  情報欄
Ｅ  引き出し端
Ｗ  幅
【図１】
0003219206.tif 000003
【図２】
0003219206.tif 000004
【図３】
0003219206.tif 000005
【図４】
0003219206.tif 000006